(57)【要約】  セルサーチ方法及び端末装置を提供する。該方法は非アクティブ状態の端末装置に適用される。該非アクティブ状態とは該端末装置とネットワーク装置が切断状態にあり、且つ該ネットワーク装置及び該端末装置にはいずれも該端末装置と該ネットワーク装置との間の接続を確立するための該端末装置のコンテキスト情報がリザーブされることを指する。該方法は、該端末装置がキャンプオンする適切なセルが見つからない場合、任意のセルサーチ状態に移行してアクセプタブルセル、及び／又は、該適切なセルをサーチすることを含む。本発明の実施例では、ＩＮＡＣＴＩＶＥ状態にある端末装置がキャンプオンする適切なセルが見つからない場合、任意のセルサーチ状態に移行してアクセプタブルセル、及び／又は、該適切なセルをサーチし、できるだけ従来のプロトコルフレームに適用し、普及可能性を増加させる。更に、ＵＥ状態及びＵＥコンテキスト情報を明確にすることで、ＵＥの動作を管理及び制御可能にすることを確保できる。
2021512533.tif 000002
【特許請求の範囲】
【請求項１】
セルサーチ方法であって、非アクティブ状態の端末装置に適用され、前記非アクティブ状態とは、前記端末装置とネットワーク装置が切断状態にあり、且つ前記ネットワーク装置及び前記端末装置にはいずれも前記端末装置と前記ネットワーク装置との間の接続を確立するための前記端末装置のコンテキスト情報がリザーブされることを指し、
前記方法は、
前記端末装置がキャンプオンする適切なセルが見つからない場合、任意のセルサーチ状態に移行してアクセプタブルセル及び／又は前記適切なセルをサーチし、前記アクセプタブルセルは前記端末装置がキャンプオン可能で規制サービスのみを取得できるセルであり、前記適切なセルは前記端末装置がキャンプオン可能で通常サービスを取得できるセルであることを含むことを特徴とするセルサーチ方法。
【請求項２】
前記端末装置が前記アクセプタブルセルが見つかった場合、前記アクセプタブルセルにキャンプオンし、継続して前記適切なセルをサーチすることを更に含むことを特徴とする請求項１に記載の方法。
【請求項３】
前記端末装置が任意のセルサーチ状態に移行すると、第１のタイマーを起動することと、
前記第１のタイマーがタイムアウトし、且つ前記適切なセルが見つからない場合、前記端末装置はアイドル状態に移行して前記コンテキスト情報を削除することと、
前記第１のタイマーがタイムアウトせず、且つ前記適切なセルが見つかった場合、前記端末装置は前記第１のタイマーを停止させ、前記適切なセルにキャンプオンすることと、を更に含むことを特徴とする請求項１又は２に記載の方法。
【請求項４】
前記端末装置が第１のタイマーを起動する前に、前記方法は更に、
前記端末装置が前記ネットワーク装置から送信された、前記端末装置に対して前記第１のタイマーを構成するための構成情報を受信することを更に含むことを特徴とする請求項３に記載の方法。
【請求項５】
前記構成情報は、前記ネットワーク装置は前記非アクティブ状態に移行するように前記端末装置に指示するときに、前記端末装置に対して構成した情報であることを特徴とする請求項４に記載の方法。
【請求項６】
前記端末装置が任意のセルサーチ状態に移行するとき、アイドル状態に移行して前記コンテキスト情報を削除することを更に含むことを特徴とする請求項１又は２に記載の方法。
【請求項７】
前記端末装置が任意のセルサーチ状態に移行するとき、継続して前記非アクティブ状態と、位置更新タイマーを含む第２のタイマーとを維持することを更に含むことを特徴とする請求項１又は２に記載の方法。
【請求項８】
前記第２のタイマーがタイムアウトした後、前記端末装置がアイドル状態に移行して前記コンテキスト情報を削除することを更に含むことを特徴とする請求項７に記載の方法。
【請求項９】
前記端末装置がアイドル状態に移行して前記コンテキスト情報を削除した後、前記端末装置が継続して任意のサーチセル状態を維持することを更に含むことを特徴とする請求項３〜８のいずれか１項に記載の方法。
【請求項１０】
端末装置であって、前記端末装置が非アクティブ状態にあり、前記非アクティブ状態とは、前記端末装置とネットワーク装置が切断状態にあり、且つ前記ネットワーク装置及び前記端末装置にはいずれも前記端末装置と前記ネットワーク装置との間の接続を確立するための前記端末装置のコンテキスト情報がリザーブされることを指し、
前記端末装置は、
前記端末装置がキャンプオンする適切なセルが見つからない場合、任意のセルサーチ状態に移行してアクセプタブルセル及び／又は前記適切なセルをサーチすることに用いられ、前記アクセプタブルセルは前記端末装置がキャンプオン可能で規制サービスのみを取得できるセルであり、前記適切なセルは前記端末装置がキャンプオン可能で通常サービスを取得できるセルである処理ユニットを備えることを特徴とする端末装置。
【請求項１１】
前記処理ユニットは更に、前記端末装置が前記アクセプタブルセルが見つかった場合、前記アクセプタブルセルにキャンプオンし、継続して前記適切なセルをサーチすることに用いられることを特徴とする請求項１０に記載の端末装置。
【請求項１２】
前記処理ユニットは更に、
前記端末装置が任意のセルサーチ状態に移行すると、第１のタイマーを起動することと、
前記第１のタイマーがタイムアウトし、且つ前記適切なセルが見つからない場合、アイドル状態に移行して前記コンテキスト情報を削除することと、
前記第１のタイマーがタイムアウトせず、且つ前記適切なセルが見つかった場合、前記第１のタイマーを停止させ、前記適切なセルにキャンプオンすることと、に用いられることを特徴とする請求項１０又は１１に記載の端末装置。
【請求項１３】
前記処理ユニットが第１のタイマーを起動する前に、前記ネットワーク装置から送信された、前記端末装置に対して前記第１のタイマーを構成するための構成情報を受信することに用いられる送受信ユニットを更に備えることを特徴とする請求項１２に記載の端末装置。
【請求項１４】
前記構成情報は、前記ネットワーク装置は前記非アクティブ状態に移行するように前記端末装置に指示するときに、前記端末装置に対して構成した情報であることを特徴とする請求項１３に記載の端末装置。
【請求項１５】
前記処理ユニットは更に、
前記端末装置が任意のセルサーチ状態に移行するとき、アイドル状態に移行して前記コンテキスト情報を削除することに用いられることを特徴とする請求項１０又は１１に記載の端末装置。
【請求項１６】
前記処理ユニットは更に、
前記端末装置が任意のセルサーチ状態に移行するとき、継続して前記非アクティブ状態と、位置更新タイマーを含む第２のタイマーとを維持することに用いられることを特徴とする請求項１０又は１１に記載の端末装置。
【請求項１７】
前記処理ユニットは更に、
前記第２のタイマーがタイムアウトした後、アイドル状態に移行して前記コンテキスト情報を削除することに用いられることを特徴とする請求項１６に記載の端末装置。
【請求項１８】
前記処理ユニットは更に、
前記端末装置がアイドル状態に移行して前記コンテキスト情報を削除した後、継続して任意のサーチセル状態を維持することに用いられることを特徴とする請求項１２〜１７のいずれか１項に記載の端末装置。
【発明の詳細な説明】
【技術分野】
【０００１】
本発明の実施例は通信分野に関し、更に具体的に、セルサーチ方法及び端末装置に関する。
【背景技術】
【０００２】
人々が速度、遅延、高速移動性、エネルギー効率を求め、及び将来の生活においてサービスが多様化、複雑になるため、第３世代パートナーシッププロジェクト（Ｔｈｅ  ３ｒｄ  Ｇｅｎｅｒａｔｉｏｎ  Ｐａｒｔｎｅｒｓｈｉｐ  Ｐｒｏｊｅｃｔ、３ＧＰＰ）国際標準化機構は、第５世代移動通信システム（５−Ｇｅｎｅｒａｔｉｏｎ、５Ｇ）を研究開発し始める。５Ｇネットワーク環境においてエアインタフェースシグナリングの低減及び無線接続の迅速回復、データサービスの迅速回復という目的を実現するために、新たな無線リソース制御（Ｒａｄｉｏ  Ｒｅｓｏｕｒｃｅ  Ｃｏｎｔｒｏｌ、ＲＲＣ）状態、即ち無線リソース制御非アクティブ（ＲＲＣ＿ＩＮＡＣＴＩＶＥ）状態を定義する。
【０００３】
ユーザ装置（Ｕｓｅｒ  Ｅｑｕｉｐｍｅｎｔ、ＵＥ）がＲＲＣ＿ＩＮＡＣＴＩＶＥ状態にある場合、ネットワーク側は該ＵＥに無線アクセスネットワーク（Ｒａｄｉｏ  Ａｃｃｅｓｓ  Ｎｅｔｗｏｒｋ、ＲＡＮ）のページング領域を構成し、ＵＥが該ページング領域において移動する時にネットワーク側に通知する必要がなく、ＲＲＣ＿ＩＤＬＥでの移動性の動作、即ち、セル選択及び再選択の原則に従う。ＵＥが該ページング領域から出ると、ＲＲＣ接続を回復してネットワーク側に構成されたページング領域を再取得するようにＵＥをトリガーする。
【０００４】
セルの信号が悪い場合、ＩＮＡＣＴＩＶＥ状態にあるＵＥはキャンプオンする適切なセルが見つからない可能性があり、その場合、ＵＥは任意のセルサーチ状態に移行したり、アクセプタブルセルを選択してキャンプオンしたりする可能性もある。それで分かるように、ＵＥの状態及びＵＥコンテキストを如何に制御するか、及びＵＥの動作を管理及び制御可能にすることを如何に確保するかは、緊急に解決する問題である。
【発明の概要】
【発明が解決しようとする課題】
【０００５】
セルサーチ方法及び端末装置を提供し、できるだけ従来のプロトコルフレームに適用でき、普及可能性を増加させる。
【課題を解決するための手段】
【０００６】
第１の態様ではセルサーチ方法を提供し、非アクティブ状態の端末装置に適用され、前記非アクティブ状態とは、前記端末装置とネットワーク装置が切断状態にあり、且つ前記ネットワーク装置及び前記端末装置にはいずれも前記端末装置と前記ネットワーク装置との間の接続を確立するための前記端末装置のコンテキスト情報がリザーブされることを指し、
前記方法は、
前記端末装置がキャンプオンする適切なセルが見つからない場合、任意のセルサーチ状態に移行してアクセプタブルセル及び／又は前記適切なセルをサーチし、前記アクセプタブルセルは前記端末装置がキャンプオン可能で規制サービスのみを取得できるセルであり、前記適切なセルは前記端末装置がキャンプオン可能で通常サービスを取得できるセルであることを含む。
【０００７】
本発明の実施例では、ＩＮＡＣＴＩＶＥ状態の端末装置がキャンプオンする適切なセルが見つからない場合、任意のセルサーチ状態に移行してアクセプタブルセル及び／又は前記適切なセルをサーチすることで、できるだけ従来のプロトコルフレームに適用でき、普及可能性を増加させる。
【０００８】
更に、ＵＥ状態及びＵＥコンテキスト情報を明確にすることで、ＵＥの動作を管理及び制御可能にすることを確保することができる。
【０００９】
いくつかの可能な実現形態では、前記方法は、
前記端末装置が前記アクセプタブルセルが見つかった場合、前記アクセプタブルセルにキャンプオンし、継続して前記適切なセルをサーチすることを更に含む。
【００１０】
いくつかの可能な実現形態では、前記方法は、
前記端末装置が任意のセルサーチ状態に移行すると、第１のタイマーを起動することと、
前記第１のタイマーがタイムアウトし、且つ前記適切なセルが見つからない場合、前記端末装置はアイドル状態に移行して前記コンテキスト情報を削除することと、
前記第１のタイマーがタイムアウトせず、且つ前記適切なセルが見つかった場合、前記端末装置は前記第１のタイマーを停止させ、前記適切なセルにキャンプオンすることと、を更に含む。
【００１１】
いくつかの可能な実現形態では、前記端末装置が第１のタイマーを起動する前に、前記方法は、
前記端末装置が前記ネットワーク装置から送信された、前記端末装置に対して前記第１のタイマーを構成するための構成情報を受信することを更に含む。
【００１２】
いくつかの可能な実現形態では、前記構成情報は、前記ネットワーク装置は前記非アクティブ状態に移行するように前記端末装置に指示するときに、前記端末装置に対して構成した情報である。
【００１３】
いくつかの可能な実現形態では、前記方法は、
前記端末装置が任意のセルサーチ状態に移行するとき、アイドル状態に移行して前記コンテキスト情報を削除することを更に含む。
【００１４】
いくつかの可能な実現形態では、前記方法は、
前記端末装置が任意のセルサーチ状態に移行するとき、継続して前記非アクティブ状態と、位置更新タイマーを含む第２のタイマーとを維持することを更に含む。
【００１５】
いくつかの可能な実現形態では、前記方法は、
前記第２のタイマーがタイムアウトした後、前記端末装置がアイドル状態に移行して前記コンテキスト情報を削除することを更に含む。
【００１６】
いくつかの可能な実現形態では、前記方法は、
前記端末装置がアイドル状態に移行して前記コンテキスト情報を削除した後、前記端末装置が継続して任意のサーチセル状態を維持することを更に含む。
【００１７】
本発明の実施例では、ＩＮＡＣＴＩＶＥ状態の端末装置がキャンプオンする適切なセルが見つからない場合、任意のセルサーチ状態に移行してアクセプタブルセル及び／又は前記適切なセルをサーチし、ＵＥ状態及びＵＥコンテキスト情報を明確にすることで、ＵＥの動作を管理及び制御可能にすることを確保できる。
【００１８】
第２の態様では端末装置を提供し、前記端末装置が非アクティブ状態にあり、前記非アクティブ状態とは、前記端末装置とネットワーク装置が切断状態にあり、且つ前記ネットワーク装置及び前記端末装置にはいずれも前記端末装置と前記ネットワーク装置との間の接続を確立するための前記端末装置のコンテキスト情報がリザーブされることを指し、
前記端末装置は、
前記端末装置がキャンプオンする適切なセルが見つからない場合、任意のセルサーチ状態に移行してアクセプタブルセル及び／又は前記適切なセルをサーチすることに用いられ、前記アクセプタブルセルは前記端末装置がキャンプオン可能で規制サービスのみを取得できるセルであり、前記適切なセルは前記端末装置がキャンプオン可能で通常サービスを取得できるセルである処理ユニットを備える。
【００１９】
第３の態様では端末装置を提供し、前記端末装置が非アクティブ状態にあり、前記非アクティブ状態とは、前記端末装置とネットワーク装置が切断状態にあり、且つ前記ネットワーク装置及び前記端末装置にはいずれも前記端末装置と前記ネットワーク装置との間の接続を確立するための前記端末装置のコンテキスト情報がリザーブされることを指し、
前記端末装置は、
前記端末装置がキャンプオンする適切なセルが見つからない場合、任意のセルサーチ状態に移行してアクセプタブルセル及び／又は前記適切なセルをサーチすることに用いられ、前記アクセプタブルセルは前記端末装置がキャンプオン可能で規制サービスのみを取得できるセルであり、前記適切なセルは前記端末装置がキャンプオン可能で通常サービスを取得できるセルであるプロセッサを備える。
【００２０】
第４の態様では、上記第１の態様の方法の実施例を実行するための命令を含むコンピュータプログラムを記憶することに用いられるコンピュータ可読媒体を提供する。
【００２１】
第５の態様ではコンピュータチップを提供し、入力インタフェース、出力インタフェース、少なくとも１つのプロセッサ、メモリを備え、前記プロセッサは前記メモリにおけるコードを実行することに用いられ、前記コードが実行されるとき、前記プロセッサは上記第１の態様及び様々な実現形態におけるセルの選択方法における端末装置により実行される各過程を実現できる。
【００２２】
第６の態様では、前記端末装置を備える通信システムを提供する。
【図面の簡単な説明】
【００２３】
【図１】図１は本発明の実施例の通信システムの例である。
【図２】図２は本発明の実施例のセルの選択方法の概略フローチャートである。
【図３】図３は本発明の実施例の端末装置の概略ブロック図である。
【図４】図４は本発明の実施例の端末装置の他の概略ブロック図である。
【発明を実施するための形態】
【００２４】
本発明の実施例はＲＲＣ＿ＩＮＡＣＴＩＶＥ状態の端末装置を備えるいずれかの通信システムに適用できる。即ち、本発明の実施例は単に通信システム１００を例示的に説明するが、本発明の実施例はこれに限定されるものではない。
【００２５】
即ち、本発明の実施例の技術案は様々な通信システム、例えば、グローバルモバイル通信（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭ）システム、符号分割多元接続（Ｃｏｄｅ  Ｄｉｖｉｓｉｏｎ  Ｍｕｌｔｉｐｌｅ  Ａｃｃｅｓｓ、ＣＤＭＡ）システム、帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ）システム、汎用パケット無線サービス（Ｇｅｎｅｒａｌ  Ｐａｃｋｅｔ  Ｒａｄｉｏ  Ｓｅｒｖｉｃｅ、ＧＰＲＳ）、長期進化（Ｌｏｎｇ  Ｔｅｒｍ  Ｅｖｏｌｕｔｉｏｎ、ＬＴＥ）システム、ＬＴＥ時分割複信（Ｔｉｍｅ  Ｄｉｖｉｓｉｏｎ  Ｄｕｐｌｅｘ、ＴＤＤ）、汎用移動通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、ＵＭＴＳ）、５Ｇ等に適用できる。
【００２６】
５Ｇの主な使用シーンはイーエムビービー（Ｅｎｈａｎｃｅ  Ｍｏｂｉｌｅ  Ｂｒｏａｄｂａｎｄ、ｅＭＢＢ）、高信頼低遅延通信（Ｕｌｔｒａ−Ｒｅｌｉａｂｌｅ  ａｎｄ  Ｌｏｗ  Ｌａｔｅｎｃｙ  Ｃｏｍｍｕｎｉｃａｔｉｏｎ、ＵＲＬＬＣ）、大規模マシンタイプ通信（ｍａｓｓｉｖｅ  ｍａｃｈｉｎｅ  ｔｙｐｅ  ｏｆ  ｃｏｍｍｕｎｉｃａｔｉｏｎ、ｍＭＴＣ）である。ｅＭＢＢはユーザがマルチメディアコンテンツ、サービス、及びデータを取得することをターゲットとする。また、ｅＭＢＢは異なるシーン、例えば、屋内、都市、田舎等において構成されるため、その能力とニーズの違いが大きい。ＵＲＬＬＣの典型的な応用は工業自動化、電力自動化、遠隔医療操作（手術）、交通安全保障等を含む。ｍＭＴＣの典型的な特徴は高い接続密度、小さなデータ量、遅延の影響を受けないサービス、モジュールの低コスト、及び長い耐用年数等を含む。
【００２７】
本発明はネットワーク装置及び端末装置を組み合わせて各実施例を説明する。
【００２８】
ネットワーク装置とは、信号を送受信するネットワーク側のいずれかのエンティティである。例えば、マシンタイプ通信（ＭＴＣ）のユーザ装置、ＧＳＭ又はＣＤＭＡにおける基地局（Ｂａｓｅ  Ｔｒａｎｓｃｅｉｖｅｒ  Ｓｔａｔｉｏｎ、ＢＴＳ）、ＷＣＤＭＡにおける基地局（ＮｏｄｅＢ）、ＬＴＥにおける進化型基地局（Ｅｖｏｌｕｔｉｏｎａｌ  Ｎｏｄｅ  Ｂ、ｅＮＢ又はｅＮｏｄｅＢ）、５Ｇネットワークにおける基地局装置等であってもよい。
【００２９】
また、端末装置はいずれかの端末装置であってもよい。具体的に、端末装置は無線アクセスネットワーク（Ｒａｄｉｏ  Ａｃｃｅｓｓ  Ｎｅｔｗｏｒｋ、ＲＡＮ）を介して１つ又は複数のコアネットワーク（Ｃｏｒｅ  Ｎｅｔｗｏｒｋ）と通信でき、アクセス端末、ユーザ装置（Ｕｓｅｒ  Ｅｑｕｉｐｍｅｎｔ、ＵＥ）、ユーザユニット、加入者局、移動局、移動台、遠隔局、遠隔端末、移動装置、ユーザ端末、端末、無線通信装置、ユーザエージェント又はユーザデバイスとも呼ばれてもよい。例えば、セルラーホン、コードレスホン、セッション開始プロトコル（Ｓｅｓｓｉｏｎ  Ｉｎｉｔｉａｔｉｏｎ  Ｐｒｏｔｏｃｏｌ、ＳＩＰ）電話、ワイヤレスローカルループ（Ｗｉｒｅｌｅｓｓ  Ｌｏｃａｌ  Ｌｏｏｐ、ＷＬＬ）ステーション、パーソナルデジタルアシスタント（Ｐｅｒｓｏｎａｌ  Ｄｉｇｉｔａｌ  Ａｓｓｉｓｔａｎｔ、ＰＤＡ）、無線通信機能を有するハンドヘルドデバイス、計算装置又は無線モデムに接続される他の処理装置、車載デバイス、ウェアラブルデバイス及び５Ｇネットワークにおける端末装置等であってもよい。
【００３０】
図１は本発明の実施例の通信システムの模式図である。
【００３１】
図１に示すように、通信システム１００は端末装置１１０とネットワーク装置１２０を備えてもよい。ネットワーク装置１２０はエアインタフェースを介して端末装置１１０と通信できる。端末装置１１０とネットワーク装置１２０との間にはマルチサービス伝送をサポートする。端末装置１１０はＲＲＣ＿ＩＮＡＣＴＩＶＥ状態であってもよい。
【００３２】
ＲＲＣ＿ＩＮＡＣＴＩＶＥ状態は無線リソース制御アイドル（ＲＲＣ＿ＩＤＬＥ）状態及び無線リソース制御アクティブ（ＲＲＣ＿ＡＣＴＩＶＥ）状態と異なる。
【００３３】
解決案の理解を容易にするために、以下、端末装置の状態を簡単に説明する。
【００３４】
本発明の実施例では、該端末装置１１０の状態はＲＲＣ＿ＩＤＬＥ状態、ＲＲＣ＿ＡＣＴＩＶＥ状態、及びＲＲＣ＿ＩＮＡＣＴＩＶＥ状態を含んでもよい。
【００３５】
ＲＲＣ＿ＡＣＴＩＶＥ状態について、端末装置とネットワーク装置との間にＲＲＣ接続が存在し、ネットワーク装置及び端末装置には該端末装置のコンテキスト情報が記憶される。ネットワーク装置が取得した端末装置の位置は具体的なセルレベルである。その移動性はネットワーク装置により制御されるものである。ＲＲＣ＿ＩＤＬＥ状態について、端末装置とネットワーク装置との間にＲＲＣ接続が存在せず、ネットワーク装置には端末装置のコンテキスト情報が記憶されていない。該端末装置をページングする必要があるとき、コアネットワークがページングを開始し、コアネットワークがページング領域を構成する。その移動性は端末装置によるセル選択又はセル再選択に基づくものである。
【００３６】
しかしながら、ＲＲＣ＿ＩＮＡＣＴＩＶＥ状態について、コアネットワーク（ＣＮ）とネットワーク装置との間に接続が存在し、端末装置のコンテキスト情報はあるネットワーク装置に存在し、無線アクセスネットワーク（Ｒａｄｉｏ  Ａｃｃｅｓｓ  Ｎｅｔｗｏｒｋ、ＲＡＮ）によりページングをトリガーし、ＲＡＮによりＲＡＮのページング領域を管理し、即ち、ネットワーク装置が取得した端末装置の位置はＲＡＮのページング領域レベルである。その移動性は端末装置によるセル選択又はセル再選択に基づくものである。換言すれば、ＲＲＣ＿ＩＮＡＣＴＩＶＥ状態の端末装置とネットワーク装置との接続は切断状態にあり、且つ該ネットワーク装置には該端末装置のコンテキスト情報がリザーブされ、該コンテキスト情報は該端末装置と該ネットワーク装置との間の接続を迅速に確立することに用いられる。
【００３７】
例えば、端末装置がＲＲＣ＿ＩＮＡＣＴＩＶＥ状態にある場合、ネットワーク装置は複数のセルを含んでもよいＲＡＮのページング領域を該端末装置に対して構成する。説明の便宜上、本発明の実施例では、選択肢として、該ＲＡＮのページング領域を初期ページング領域と呼ばれてもよく、ネットワーク装置が端末装置に対して予め構成したページング領域を該初期ページング領域と呼んでもよい。即ち、該端末装置がセル再選択を行うとき、該初期ページング領域に基づいて、ＲＲＣ接続を回復するように端末装置をトリガーしてもよい。
【００３８】
セルの信号が悪い場合、ＩＮＡＣＴＩＶＥ状態にあるＵＥはキャンプオンする適切なセルが見つからない可能性があり、その場合、ＵＥは任意のセルサーチ状態に移行したり、アクセプタブルセルを選択してキャンプオンしたりする可能性もある。それで分かるように、ＵＥの状態及びＵＥコンテキストを如何に制御するか、及びＵＥの動作を管理及び制御可能にすることを如何に確保するかは、緊急に解決する問題である。
【００３９】
上記問題を解決するために、本発明の実施例ではセル選択方法を提供し、ＩＮＡＣＴＩＶＥ状態のＵＥの移動過程でのセル信号が悪い場合、ＵＥ状態及びＵＥコンテキスト情報を明確にすることで、ＵＥの動作を管理及び制御可能にすることを確保する。
【００４０】
図２は本発明の実施例の端末装置がセルを選択する方法の概略フローチャートである。
【００４１】
理解できるように、本発明の実施例の端末装置がセルを選択する方法は非アクティブ状態の端末装置に適用でき、該非アクティブ状態とは該端末装置とネットワーク装置が切断状態にあり、且つ該ネットワーク装置及び該端末装置にはいずれも該端末装置と該ネットワーク装置との間の接続を確立するための該端末装置のコンテキスト情報がリザーブされることを指し、
図２に示すように、該方法は、
該端末装置が適切なセルをサーチし始める２１０と、
該端末装置が適切なセルが見つからない場合、任意のセルサーチ状態に移行してアクセプタブルセル及び／又は該適切なセルをサーチし、該アクセプタブルセルは該端末装置がキャンプオン可能で規制サービスのみを取得できるセルであり、該適切なセルは該端末装置がキャンプオン可能で通常サービスを取得できるセルである２２０と、を含む。
【００４２】
以下、ＲＲＣ＿ＩＤＬＥでのサービスタイプ及びセル分類を補充して説明する。
本発明の実施例では、ＲＲＣ＿ＩＤＬＥモードでのサービスタイプは、以下の単一のサービスタイプを含むが、これらに限定されない。
規制サービス：１つのアクセプタブルセルにおいて緊急発呼を行う。
通常サービス：適切なセルにおいて通常に使用される。
操作者サービス：１つのリザーブセルにおいて操作者により使用される。
【００４３】
本発明の実施例では、提供可能なサービスは以下のセルタイプを含むが、それらに限定されない。
アクセプタブルセル：規制サービス（緊急発呼）を取得できる。
適切なセル：ＵＥがキャンプオン可能で通常サービスを取得できる。
禁止されたセル：システム情報はセルが禁止される（ｂａｒｒｅｄ）ことを指示する。
リザーブされたセル：システム情報はセルがリザーブされる（ｒｅｓｅｒｖｅｄ）ことを指示し、セルの選択は一般的に公衆陸上モバイルネットワーク（Ｐｕｂｌｉｃ  Ｌａｎｄ  Ｍｏｂｉｌｅ  Ｎｅｔｗｏｒｋ、ＰＬＭＮ）の選択の後に行われ、その目的はＵＥが起動した後にできるだけ早くチャネル品質が条件を満たす１つのセルを選択してキャンプオンすることができることであり、セル選択は主に２種類を含む。
【００４４】
更に、該端末装置が該アクセプタブルセルが見つかった場合、該アクセプタブルセルにキャンプオンし、継続して該適切なセルをサーチする。
【００４５】
本発明の実施例では、ＩＮＡＣＴＩＶＥ状態の端末装置がキャンプオンする適切なセルが見つからない場合、任意のセルサーチ状態に移行してアクセプタブルセル及び／又は前記適切なセルをサーチすることで、できるだけ従来のプロトコルフレームに適用でき、普及可能性を増加させる。
【００４６】
更に、ＵＥ状態及びＵＥコンテキスト情報を明確にすることで、ＵＥの動作を管理及び制御可能にすることを確保できる。
【００４７】
以下、本発明の実施例の該端末装置が任意のセルサーチ状態に移行するときのＵＥ状態及びＵＥコンテキスト情報の処理方法を例として説明する。
【００４８】
１つの実施例では、該端末装置が任意のセルサーチ状態に移行するとき、第１のタイマーを起動し、該第１のタイマーがタイムアウトし、且つ該適切なセルが見つからない場合、該端末装置はアイドル状態に移行して該コンテキスト情報を削除し、該第１のタイマーがタイムアウトせず、且つ該適切なセルが見つかった場合、該端末装置は該第１のタイマーを停止し、且つ該適切なセルにキャンプオンする。
【００４９】
更に、該端末装置は第１のタイマーを起動する前に、該端末装置は該ネットワーク装置から送信された、該端末装置に対して該第１のタイマーを構成するための構成情報を受信する。
【００５０】
例えば、該構成情報は、該ネットワーク装置は該非アクティブ状態に移行するように該端末装置に指示するときに、該端末装置に対して構成した情報である。
【００５１】
他の実施例では、該端末装置は任意のセルサーチ状態に移行するとき、アイドル状態に直接に移行して該コンテキスト情報を削除することができる。
【００５２】
他の実施例では、該端末装置は任意のセルサーチ状態に移行するとき、継続して該非アクティブ状態と、位置更新タイマーを含む第２のタイマーとを維持する。
【００５３】
更に、該第２のタイマーがタイムアウトすると、該端末装置はアイドル状態に移行して該コンテキスト情報を削除する。
【００５４】
理解できるように、本発明の実施例では、該端末装置はアイドル状態に移行して該コンテキスト情報を削除した後、該端末装置は継続して任意のサーチセル状態を維持することができる。
【００５５】
また、理解できるように、本発明の実施例では、該端末装置が任意のセルサーチ状態に移行するときのＵＥ状態及びＵＥコンテキスト情報の処理方法を例示的に説明したが、本発明の実施例はこれらに限定されるものではない。
【００５６】
例えば、該端末装置は更にユーザのニーズに応じて、具体的な処理方式を決定してもよい。
【００５７】
図３は本発明の実施例の端末装置３００の概略ブロック図である。理解できるように、、該端末装置が非アクティブ状態にあり、該非アクティブ状態とは該端末装置とネットワーク装置が切断状態にあり、且つ該ネットワーク装置及び該端末装置にはいずれも該端末装置と該ネットワーク装置との間の接続を確立するための該端末装置のコンテキスト情報がリザーブされることを指す。
【００５８】
図３に示すように、該端末装置３００は、
該端末装置がキャンプオンする適切なセルが見つからない場合、任意のセルサーチ状態に移行してアクセプタブルセル及び／又は該適切なセルをサーチすることに用いられ、該アクセプタブルセルは該端末装置がキャンプオン可能で規制サービスのみを取得できるセルであり、該適切なセルは該端末装置がキャンプオン可能で通常サービスを取得できるセルである処理ユニット３１０を備える。
【００５９】
選択肢として、該処理ユニット３１０は更に、該端末装置が該アクセプタブルセルが見つかった場合、該アクセプタブルセルにキャンプオンし、継続して該適切なセルをサーチすることに用いられる。
【００６０】
選択肢として、該処理ユニット３１０は更に、
該端末装置が任意のセルサーチ状態に移行すると、第１のタイマーを起動することと、
該第１のタイマーがタイムアウトし、且つ該適切なセルが見つからない場合、アイドル状態に移行して該コンテキスト情報を削除することと、
該第１のタイマーがタイムアウトせず、且つ該適切なセルが見つかった場合、該第１のタイマーを停止させ、該適切なセルにキャンプオンすることと、に用いられる。
【００６１】
選択肢として、該端末装置は、
該処理ユニット３１０が第１のタイマーを起動する前に、該ネットワーク装置から送信された、該端末装置に対して該第１のタイマーを構成するための構成情報を受信することに用いられる送受信ユニット３２０を更に備える。
【００６２】
選択肢として、該構成情報は、該ネットワーク装置は該非アクティブ状態に移行するように該端末装置に指示するときに、該端末装置に対して構成した情報である。
【００６３】
選択肢として、該処理ユニット３１０は更に、
該端末装置が任意のセルサーチ状態に移行するとき、アイドル状態に移行して該コンテキスト情報を削除することに用いられる。
【００６４】
選択肢として、該処理ユニット３１０は更に、
該端末装置が任意のセルサーチ状態に移行するとき、継続して該非アクティブ状態と、位置更新タイマーを含む第２のタイマーとを維持することに用いられる。
【００６５】
選択肢として、該処理ユニット３１０は更に、
該第２のタイマーがタイムアウトすると、アイドル状態に移行して該コンテキスト情報を削除することに用いられる。
【００６６】
選択肢として、該処理ユニット３１０は更に、
該端末装置がアイドル状態に移行して該コンテキスト情報を削除した後、継続して任意のサーチセル状態を維持することに用いられる。
【００６７】
本発明の実施例では、処理ユニット３１０はプロセッサによって実現され、送受信ユニット３２０は送受信機によって実現される。図４に示すように、端末装置４００はプロセッサ４１０、送受信機４２０、メモリ４３０を備えてもよい。メモリ４３０は指示情報を記憶し、プロセッサ４１０によって実行されるコード、命令等を記憶することに用いられてもよい。端末装置４００における各ユニットはバスシステムを介して接続され、バスシステムはデータバスに加えて、更に電源バス、制御バス、及び状態信号バスを含む。
【００６８】
図４に示される端末装置４００は上記方法実施例の端末装置によって実現される各過程を実現でき、繰り返しを避けるために、詳細な説明は省略する。即ち、本発明の実施例における方法実施例はプロセッサに適用し、又はプロセッサによって実現される。
【００６９】
具体的に、実現過程において、本発明の実施例における方法実施例の各ステップは、プロセッサにおけるハードウェアの集積論理回路又はソフトウェア方式の命令によって完了されてもよい。より具体的に、本発明の実施例に開示されている方法のステップは、ハードウェアデコードプロセッサによって実行して完了され、又は、デコードプロセッサにおけるハードウェア及びソフトウェアモジュールの組合せによって実行して完了されるように直接に具現されてもよい。ソフトウェアモジュールはランダムメモリ、フラッシュメモリ、読み出し専用メモリ、プログラマブル読み出し専用メモリ又は電気的に消去可能なプログラマブルメモリ、レジスタ等の本分野の成熟した記憶媒体に位置してもよい。該記憶媒体はメモリに位置し、プロセッサはメモリにおける情報を読み取り、そのハードウェアと組み合わせて上記方法のステップを完了する。
【００７０】
プロセッサは信号処理能力を有する集積回路チップである可能性があり、本発明の実施例に開示されている各方法、ステップ及びロジックブロック図を実現又は実行できる。例えば、上記プロセッサは汎用プロセッサ、デジタル信号プロセッサ（ｄｉｇｉｔａｌ  ｓｉｇｎａｌ  ｐｒｏｃｅｓｓｏｒ、ＤＳＰ）、専用集積回路（ａｐｐｌｉｃａｔｉｏｎ  ｓｐｅｃｉｆｉｃ  ｉｎｔｅｇｒａｔｅｄ  ｃｉｒｃｕｉｔ、ＡＳＩＣ）、フィールドプログラマブルゲートアレイ（ｆｉｅｌｄ  ｐｒｏｇｒａｍｍａｂｌｅ  ｇａｔｅ  ａｒｒａｙ、ＦＰＧＡ）又はその他のプログラマブルロジックデバイス、トランジスタロジック装置、個別ハードウェア構成要素等であってもよい。また、汎用プロセッサはマイクロプロセッサであってもよく、又は、該プロセッサはいずれかの一般的なプロセッサ等であってもよい。
【００７１】
また、本発明の実施例では、メモリは揮発性メモリ又は不揮発性メモリであってもよく、又は、揮発性メモリ及び不揮発性メモリの両方を含んでもよい。不揮発性メモリは読み出し専用メモリ（ｒｅａｄ−ｏｎｌｙ  ｍｅｍｏｒｙ、ＲＯＭ）、プログラマブル読み出し専用メモリ（ｐｒｏｇｒａｍｍａｂｌｅ  ＲＯＭ、ＰＲＯＭ）、消去可能なプログラマブル読み出し専用メモリ（ｅｒａｓａｂｌｅ  ＰＲＯＭ、ＥＰＲＯＭ）、電気的消去可能なプログラマブル読み出し専用メモリ（ｅｌｅｃｔｒｉｃａｌｌｙ  ＥＰＲＯＭ、ＥＥＰＲＯＭ）又はフラッシュメモリであってもよい。揮発性メモリはランダムアクセスメモリ（ｒａｎｄｏｍ  ａｃｃｅｓｓ  ｍｅｍｏｒｙ、ＲＡＭ）であってもよく、外部キャッシュとして用いられる。なお、上記メモリは例示的なものであるが、限定されるものではなく、例えば、本発明の実施例におけるメモリはスタティックランダムアクセスメモリ（ｓｔａｔｉｃ  ＲＡＭ、ＳＲＡＭ）、ダイナミックランダムアクセスメモリ（ｄｙｎａｍｉｃ  ＲＡＭ、ＤＲＡＭ）、シンクロナスダイナミックランダムアクセスメモリ（ｓｙｎｃｈｒｏｎｏｕｓ  ＤＲＡＭ、ＳＤＲＡＭ）、ダブルデータレートシンクロナスダイナミックランダムアクセスメモリ（ｄｏｕｂｌｅ  ｄａｔａ  ｒａｔｅ  ＳＤＲＡＭ、ＤＤＲ  ＳＤＲＡＭ）、拡張シンクロナスダイナミックランダムアクセスメモリ（ｅｎｈａｎｃｅｄ  ＳＤＲＡＭ、ＥＳＤＲＡＭ）、シンクロナスリンクダイナミックランダムアクセスメモリ（ｓｙｎｃｈ  ｌｉｎｋ  ＤＲＡＭ、ＳＬＤＲＡＭ）及びダイレクトメモリバスランダムアクセスメモリ（Ｄｉｒｅｃｔ  Ｒａｍｂｕｓ  ＲＡＭ、ＤＲ  ＲＡＭ）等であってもよい。即ち、本明細書において説明したシステム及び方法のメモリは、これら及び任意の他の適切なタイプのメモリを含むが、これらに限定されるものではないことが意図される。
【００７２】
なお、本発明の実施例及び特許請求の範囲において使用される用語は、特定の実施例を説明するためのものに過ぎず、本発明の実施例を限定するものではない。
【００７３】
例えば、本発明の実施例及び特許請求の範囲において使用される単数形の「１種」、「上記」、及び「該」は、文脈が明確に他を示さない限り、複数形も同様に含むように意図されている。
【００７４】
また、例えば、文脈に応じて、本明細書において使用される「…とき」という用語は、「もし」又は「の場合」又は「…際」又は「確定に応答」又は「検出に応答」と解釈されてもよい。同様に、文脈に応じて、語句「確定すれば」又は「（説明する条件又はイベント）を検出すれば」は、「確定するとき」又は「確定に応答するとき」又は「（説明する条件又はイベント）を検出するとき」又は「（説明する条件又はイベント）の検出に応答」と解釈されてもよい。
【００７５】
当業者であれば意識できるように、本明細書に開示される実施例を参照して説明した各例示的なユニット及びアルゴリズムステップは、電子ハードウェア、又はコンピュータソフトウェア及び電子ハードウェアの組み合わせで実現できる。これらの機能をハードウェアそれともソフトウェア方式で実行するかは、技術案の特定応用及び設計制約条件によって決定される。当業者は各特定応用に対して異なる方法でここの説明される機能を実現することができるが、このような実現は本発明の実施例の範囲を超えるものと見なされるべきではない。
【００７６】
当業者であれば明確に理解できるように、説明を容易で簡単にするために、上記説明されたシステム、装置及びユニットの具体的な動作過程については、上記方法実施例における対応過程を参照してもよく、ここで詳細な説明は省略する。
【００７７】
本願に係るいくつかの実施例において、理解できるように、開示されるシステム、装置及び方法は他の方式で実現されてもよい。例えば、以上に説明された装置実施例は模式的なものに過ぎず、例えば、前記ユニットの区別は論理機能上の区別に過ぎず、実際に実現するとき、他の区別方式を用いてもよく、例えば複数のユニット又はコンポーネントは他のシステムに結合又は統合されてもよく、又はいくつかの特徴は省略したり、実行しなかったりしてもよい。一方、表示又は検討される相互間の結合又は直接結合又は通信接続はいくつかのインタフェース、装置又はユニットによる間接結合又は通信接続であってもよく、電気、機械又は他の形式であってもよい。
【００７８】
分離部材として説明される前記ユニットは物理的に分離してもよく、物理的に分離しなくてもよく、ユニットとして表示される部材は物理ユニットであってもよく、物理ユニットでなくてもよく、即ち、一箇所に位置してもよく、複数のネットワークユニットに配置されてもよい。実際の必要に応じて、その一部又は全部のユニットを選択して本発明の実施例の目的を実現してもよい。
【００７９】
また、本発明の各実施例において、各機能ユニットは１つの処理ユニットに統合されてもよく、各ユニットは独立して物理的に存在してもよく、２つ以上のユニットは１つのユニットに統合されてもよい。
【００８０】
ソフトウェア機能ユニットの形式で実現され、独立した製品として販売又は使用されるときは、１つのコンピュータ可読記憶媒体に記憶されてもよい。このような理解に基づいて、本発明の実施例の技術案の本質的又は従来技術に貢献する部分、又は該技術案の一部はソフトウェア製品の形式で具現されてもよく、該コンピュータソフトウェア製品は、１台のコンピュータ装置（パーソナルコンピュータ、サーバ又はネットワーク装置等）に本発明の実施例に記載の方法の全部又は一部のステップを実行させるための若干の命令を含む１つの記憶媒体に記憶される。そして、上記記憶媒体はＵＳＢメモリ、ポータブルハードディスク、読み出し専用メモリ、ランダムアクセスメモリ、磁気ディスク又は光ディスク等のプログラムコードを記憶できる様々な媒体を含む。
【００８１】
以上の説明は本発明の実施例の具体的な実施形態に過ぎず、本発明の実施例の保護範囲を制限するためのものではなく、当業者が本発明の実施例に開示される技術的範囲内で容易に想到し得る変更や置換は、いずれも本発明の実施例の保護範囲内に含まれるべきである。従って、本発明の実施例の保護範囲は特許請求の範囲に準じるべきである。
【図１】
2021512533.tif 000003
【図２】
2021512533.tif 000004
【図３】
2021512533.tif 000005
【図４】
2021512533.tif 000006
【手続補正書】
【提出日】令和2年7月22日(2020.7.22)
【手続補正１】
【補正対象書類名】明細書
【補正対象項目名】００１６
【補正方法】変更
【補正の内容】
【００１６】
いくつかの可能な実現形態では、前記方法は、
前記端末装置がアイドル状態に移行して前記コンテキスト情報を削除した後、前記端末装置が継続して任意のセルサーチ状態を維持することを更に含む。
【手続補正２】
【補正対象書類名】明細書
【補正対象項目名】００５４
【補正方法】変更
【補正の内容】
【００５４】
理解できるように、本発明の実施例では、該端末装置はアイドル状態に移行して該コンテキスト情報を削除した後、該端末装置は継続して任意のセルサーチ状態を維持することができる。
【手続補正３】
【補正対象書類名】明細書
【補正対象項目名】００６６
【補正方法】変更
【補正の内容】
【００６６】
選択肢として、該処理ユニット３１０は更に、
該端末装置がアイドル状態に移行して該コンテキスト情報を削除した後、継続して任意のセルサーチ状態を維持することに用いられる。
【手続補正４】
【補正対象書類名】特許請求の範囲
【補正対象項目名】全文
【補正方法】変更
【補正の内容】
【特許請求の範囲】
【請求項１】
セルサーチ方法であって、非アクティブ状態の端末装置に適用され、前記非アクティブ状態とは、前記端末装置とネットワーク装置が切断状態にあり、且つ前記ネットワーク装置及び前記端末装置にはいずれも前記端末装置と前記ネットワーク装置との間の接続を確立するための前記端末装置のコンテキスト情報がリザーブされることを指し、
前記方法は、
前記端末装置がキャンプオンする適切なセルが見つからない場合、任意のセルサーチ状態に移行してアクセプタブルセル及び／又は前記適切なセルをサーチし、前記アクセプタブルセルは前記端末装置がキャンプオン可能で規制サービスのみを取得できるセルであり、前記適切なセルは前記端末装置がキャンプオン可能で通常サービスを取得できるセルであることを含むことを特徴とするセルサーチ方法。
【請求項２】
前記端末装置が前記アクセプタブルセルが見つかった場合、前記アクセプタブルセルにキャンプオンし、継続して前記適切なセルをサーチすることを更に含むことを特徴とする請求項１に記載の方法。
【請求項３】
前記端末装置が任意のセルサーチ状態に移行すると、第１のタイマーを起動することと、
前記第１のタイマーがタイムアウトし、且つ前記適切なセルが見つからない場合、前記端末装置はアイドル状態に移行して前記コンテキスト情報を削除することと、
前記第１のタイマーがタイムアウトせず、且つ前記適切なセルが見つかった場合、前記端末装置は前記第１のタイマーを停止させ、前記適切なセルにキャンプオンすることと、を更に含むことを特徴とする請求項１又は２に記載の方法。
【請求項４】
前記端末装置が任意のセルサーチ状態に移行するとき、継続して前記非アクティブ状態と、位置更新タイマーを含む第２のタイマーとを維持することを更に含むことを特徴とする請求項１又は２に記載の方法。
【請求項５】
前記第２のタイマーがタイムアウトした後、前記端末装置がアイドル状態に移行して前記コンテキスト情報を削除することを更に含むことを特徴とする請求項４に記載の方法。
【請求項６】
前記端末装置がアイドル状態に移行して前記コンテキスト情報を削除した後、前記端末装置が継続して任意のセルサーチ状態を維持することを更に含むことを特徴とする請求項３又は５に記載の方法。
【請求項７】
端末装置であって、前記端末装置が非アクティブ状態にあり、前記非アクティブ状態とは、前記端末装置とネットワーク装置が切断状態にあり、且つ前記ネットワーク装置及び前記端末装置にはいずれも前記端末装置と前記ネットワーク装置との間の接続を確立するための前記端末装置のコンテキスト情報がリザーブされることを指し、
前記端末装置は、
前記端末装置がキャンプオンする適切なセルが見つからない場合、任意のセルサーチ状態に移行してアクセプタブルセル及び／又は前記適切なセルをサーチすることに用いられ、前記アクセプタブルセルは前記端末装置がキャンプオン可能で規制サービスのみを取得できるセルであり、前記適切なセルは前記端末装置がキャンプオン可能で通常サービスを取得できるセルである処理ユニットを備えることを特徴とする端末装置。
【請求項８】
前記処理ユニットは更に、前記端末装置が前記アクセプタブルセルが見つかった場合、前記アクセプタブルセルにキャンプオンし、継続して前記適切なセルをサーチすることに用いられることを特徴とする請求項７に記載の端末装置。
【請求項９】
前記処理ユニットは更に、
前記端末装置が任意のセルサーチ状態に移行すると、第１のタイマーを起動することと、
前記第１のタイマーがタイムアウトし、且つ前記適切なセルが見つからない場合、アイドル状態に移行して前記コンテキスト情報を削除することと、
前記第１のタイマーがタイムアウトせず、且つ前記適切なセルが見つかった場合、前記第１のタイマーを停止させ、前記適切なセルにキャンプオンすることと、に用いられることを特徴とする請求項７又は８に記載の端末装置。
【請求項１０】
前記処理ユニットが第１のタイマーを起動する前に、前記ネットワーク装置から送信された、前記端末装置に対して前記第１のタイマーを構成するための構成情報を受信することに用いられる送受信ユニットを更に備えることを特徴とする請求項９に記載の端末装置。
【請求項１１】
前記構成情報は、前記ネットワーク装置は前記非アクティブ状態に移行するように前記端末装置に指示するときに、前記端末装置に対して構成した情報であることを特徴とする請求項１０に記載の端末装置。
【請求項１２】
前記処理ユニットは更に、
前記端末装置が任意のセルサーチ状態に移行するとき、アイドル状態に移行して前記コンテキスト情報を削除することに用いられることを特徴とする請求項７又は８に記載の端末装置。
【請求項１３】
前記処理ユニットは更に、
前記端末装置が任意のセルサーチ状態に移行するとき、継続して前記非アクティブ状態と、位置更新タイマーを含む第２のタイマーとを維持することに用いられることを特徴とする請求項７又は８に記載の端末装置。
【請求項１４】
前記処理ユニットは更に、
前記第２のタイマーがタイムアウトした後、アイドル状態に移行して前記コンテキスト情報を削除することに用いられることを特徴とする請求項１３に記載の端末装置。
【請求項１５】
前記処理ユニットは更に、
前記端末装置がアイドル状態に移行して前記コンテキスト情報を削除した後、継続して任意のセルサーチ状態を維持することに用いられることを特徴とする請求項９、１２又は１４に記載の端末装置。
【国際調査報告】
2021512533.tif 000007
2021512533.tif 000008
2021512533.tif 000009
2021512533.tif 000010